(57)【要約】【課題】遠隔地の画像を放射線量と共にユーザへ転送でき、かつ、簡易な構成で小型化を図れる無人航空機を提供することを目的とする。【解決手段】本発明の無人航空機１０は、遠隔操作又は自律飛行によって移動する無人航空機において、フレーム３０１と、フライトコントローラ３４と、ロータ３２と、を備え、前記フレーム３０１は、中心に水平方向に二分する凹部３０２を設け、前記凹部３０２は、ＣＣＤカメラ４０と、前記ＣＣＤカメラ４０の撮影範囲の放射線量を測定する放射線計測部２０と、前記ＣＣＤカメラ４０の撮影画像に前記放射線計測部２０の測定値を合成するＯＳＤ１２と、前記ＯＳＤ１２の合成画像を外部端末に転送する映像転送部１４と、を収容することを特徴とする。【選択図】    図１
2019104372.tif 000002
【特許請求の範囲】
【請求項１】
ＣＣＤカメラの撮影画像に現場情報取得部の測定値を合成するＯＳＤと、
前記ＯＳＤの合成画像を外部端末に転送する映像転送部と、
を備えたことを特徴とする無人航空機。
【請求項２】
遠隔操作又は自律飛行によって移動する無人航空機において、
フレームと、
フライトコントローラと、
ロータと、
を備え、
前記フレームは、中心に水平方向に二分する凹部を設け、
前記凹部は、
ＣＣＤカメラと、
前記ＣＣＤカメラの撮影範囲の放射線量を測定する放射線計測部と、
前記ＣＣＤカメラの撮影画像に前記放射線計測部の測定値を合成するＯＳＤと、
前記ＯＳＤの合成画像を外部端末に転送する映像転送部と、
を収容することを特徴とする無人航空機。
【請求項３】
前記放射線計測部の測定値を前記ＯＳＤに入力可能な信号に変換する信号変換部を備えたことを特徴とする請求項２に記載の無人航空機。
【請求項４】
自律移動する請求項２又は３に記載の無人航空機において、
移動量を計測するジャイロセンサと、
障害物の距離を計測する測域センサを備え、
前記ジャイロセンサの測定値に基づいて自己位置を推測し、前記測域センサの測定値と比較して自己位置の同定を行う制御部と、
を備えたことを特徴とする無人航空機。
【請求項５】
前記ＯＳＤは、前記測域センサの測定値又は／及び前記制御部による自己位置の情報を前記撮影画像に付加することを特徴とする請求項４に記載の無人航空機。
【請求項６】
前記ＣＣＤカメラの撮影範囲と前記放射線計測部の測定範囲を同範囲にすることを特徴とする請求項２ないし５のいずれか１に記載の無人航空機。
【請求項７】
前記放射線計測部は、放射線量の測定範囲を前記ＣＣＤカメラの撮影範囲と同範囲にする放射線の遮蔽材を設けたことを特徴とする請求項６に記載の無人航空機。
【請求項８】
前記フライトコントローラと前記画像転送部の間に電磁遮蔽材を設けたことを特徴とする請求項２ないし７のいずれか１に記載の無人航空機。
【請求項９】
前記映像転送部は、少なくとも表示部を備えた映像受信機に転送することを特徴とする請求項１ないし８のいずれか１に記載の無人航空機。
【発明の詳細な説明】
【技術分野】
【０００１】
本発明は、遠隔操作又は自律飛行によって遠隔地の画像及び各種測定値を取得可能な無人航空機に関する。
【背景技術】
【０００２】
遠隔操作又は自律飛行による無人航空機があり、ＣＣＤ（Ｃｈａｒｇｅ−Ｃｏｕｐｌｅｄ  Ｄｅｖｉｃｅの略、以下同じ）カメラ、各種センサ、通信機器などを搭載して、所望の位置における画像、各種センサによる測定値などを取得することができる。
一例として、特許文献１に開示の無人航空機は、測距計、ＣＣＤカメラを搭載して風車ブレードの変形情報、風速情報を取得してブレードの剛性評価に利用している。
【先行技術文献】
【特許文献】
【０００３】
【特許文献１】特開２０１７−９０１４５号公報
【発明の概要】
【発明が解決しようとする課題】
【０００４】
このようなＣＣＤカメラや各種センサを備えた無人航空機は産業上多く利用されているが、撮影画像の転送時や、自律飛行時において以下のような課題があった。
＜撮影画像の転送時＞
従来の撮影画像の転送は、ＣＣＤカメラの撮影画像を映像転送装置で、各種センサの計測値をＷｉＦｉ送信機で別々に受信機側に送信する構成がある。この場合、受信側で受信データを自由に加工することができるが、無人航空機の本体に２種類の送信機を搭載しなければならずその分、重量が増加してしまい、かつ、受信側には受信データを加工するために、アプリケーションプログラムを実行するＣＰＵ、アプリケーションプログラムを格納しているＲＯＭ、アプリケーションプログラム実行中の処理内容を一時的に格納するＲＡＭを備えたパーソナルコンピュータ（以下、単にＰＣということあり）あるいは処理ボードが必要となる。
【０００５】
また、無人航空機の本体にＣＣＤカメラの撮影映像及び各種センサの測定値を取り込むＰＣあるいは処理ボードと、ＷｉＦｉ送信機を搭載した構成の場合は、受信側で受信データを容易に加工することができるが、無人航空機に搭載するＰＣあるいは処理ボードに映像を処理するための処理仕様（スペック）が必要となり大型化かつ高価となる。また受信側には前述同様にＰＣあるいは処理ボードが必要となる。
【０００６】
＜自律飛行＞
従来の自律飛行は、無人航空機に搭載する測域センサの測定値を時系列毎に蓄積してマッピングを行い、同じく搭載するＰＣあるいは処理ボードで自己位置の同定を行う構成である。この場合、マッピングデータを記録することができ、かつ無人航空機に搭載するシステム構成が容易になる。しかし自己位置を同定する演算処理が複雑であるため演算処理仕様の大きなＰＣあるいは処理ボードが必要となり、無人航空機が大型化してしまう。この他、無線通信でデータを受信側に送り演算させる方法もあるが、受信側に同様のＰＣあるいは処理ボードが必要となる。
【０００７】
＜その他＞
放射線量の高い原子力発電所に無人航空機を適用した場合、画像データ及び放射線量の測定値が必要となるが、前述の撮像画像の転送の課題に加えて、狭隘な箇所のために無人航空機本体の簡易構成かつ小型化の要請が高い。
【０００８】
そこで本発明は、上記従来技術の問題点に鑑み、遠隔地の画像を自己位置、障害物との距離などの現場情報、特に放射線量と共にユーザへ転送でき、かつ、簡易な構成で小型化を図れる無人航空機を提供することを目的としている。
【課題を解決するための手段】
【０００９】
上記課題を解決するための第１の手段として、本発明は、遠隔操作又は自律飛行によって移動する無人航空機において、
ＣＣＤカメラの撮影画像に現場情報取得部の測定値を合成するＯＳＤ（Ｏｎ  Ｓｃｒｅｅｎ  Ｄｉｓｐｌａｙの略、以下同じ）と、
前記ＯＳＤの合成画像を外部端末に転送する映像転送部と、
を備えたことを特徴とする無人航空機を提供することにある。
上記第１の手段によれば、簡易な構成で撮影画像に現場情報、例えば放射線量を付加した合成画像を生成することができ無人航空機の小型化が図れる。また合成画像を複数の外部端末に転送することができる。従って現場情報付き画像をリアルタイムで多数のユーザが共有することができる。
【００１０】
上記課題を解決するための第２の手段として、本発明は、遠隔操作又は自律飛行によって移動する無人航空機において、
フレームと、
フライトコントローラと、
ロータと、
を備え、
前記フレームは、中心に水平方向に二分する凹部を設け、
前記凹部は、
ＣＣＤカメラと、
前記ＣＣＤカメラの撮影範囲の放射線量を測定する放射線計測部と、
前記ＣＣＤカメラの撮影画像に前記放射線計測部の測定値を合成するＯＳＤと、
前記ＯＳＤの合成画像を外部端末に転送する映像転送部と、
を収容することを特徴とする無人航空機を提供することにある。
【００１１】
上記第２の手段によれば、衝突または落下による搭載機器の破損を防止すると共に、設計の際、フレームの重量バランス調整が容易となる。また簡易な構成で撮影画像に放射線量を付加した合成画像を生成することができ無人航空機の小型化が図れる。さらに合成画像を複数の外部端末に転送することができる。従って現場の放射線量付き画像をリアルタイムで多数のユーザが現場情報を共有することができる。
【００１２】
上記課題を解決するための第３の手段として、本発明は、第２の手段において、前記放射線計測部の測定値を前記ＯＳＤに入力可能な信号に変換する信号変換部を備えたことを特徴とする無人航空機を提供することにある。
上記第３の手段によれば、処理ボードの処理仕様（スペック）を小さくでき、無人航空機全体の小型化が図れる。
【００１３】
上記課題を解決するための第４の手段として、本発明は、自律飛行する第２又は第３に記載の無人航空機において、
前記移動本体の移動量を計測するジャイロセンサと、
前記移動本体と障害物との距離を計測する測域センサを備え、
前記制御部は、前記ジャイロセンサの測定値に基づいて自己位置を推測し、前記測域センサの測定値と比較して自己位置の同定を行う制御部と、
を備えたことを特徴とする無人航空機を提供することにある。
上記第４の手段によれば、処理ボードの演算処理の処理仕様を小さくして、無人航空機全体の小型化を図ることができる。また障害物を回避しながら目標位置まで自律飛行することができる。
【００１４】
上記課題を解決するための第５の手段として、本発明は、第４の手段において、前記ＯＳＤは、前記測域センサの測定値又は／及び前記制御部による自己位置の情報を前記撮影画像に付加することを特徴とする無人航空機を提供することにある。
上記第５の手段によれば、合成画像に障害物との距離又は／及び移動本体の自己位置を付加して現場の位置関係を把握することができる。また放射線量と映像を関連付けすることにより現場の放射線量を視覚的に把握することができる。
【００１５】
上記課題を解決するための第６の手段として、本発明は、第２ないし第５のいずれか１の手段において、前記ＣＣＤカメラの撮影範囲と前記放射線計測部の測定範囲を同範囲にすることを特徴とする無人航空機を提供することにある。
上記第６の手段によれば、放射線計測部の方向特性（放射線を検知可能な角度）に合う広角レンズを備えたＣＣＤカメラを用いて、ＣＣＤカメラの撮影範囲と放射線計測領域をほぼ一致させることができる。これにより観察者又は作業者による現場状況の把握が容易となる。
【００１６】
上記課題を解決するための第７の手段として、本発明は、第６の手段において、前記放射線計測部は、放射線量の測定範囲を前記ＣＣＤカメラの撮影範囲と同範囲にする放射線の遮蔽材を設けたことを特徴とする無人航空機を提供することにある。
上記第７の手段によれば、放射線計測部の方向特性がＣＣＤカメラより広いときに、放射線の遮蔽材で検知する角度を遮って方向特性をＣＣＤカメラに合わせてＣＣＤカメラの撮影範囲と放射線計測領域をほぼ一致させることができる。これにより観察者又は作業者による現場状況の把握が容易となる。
【００１７】
上記課題を解決するための第８の手段として、本発明は、第２ないし第７のいずれか１の手段において、前記フライトコントローラと前記画像転送部の間に電磁遮蔽材を設けたことを特徴とする無人航空機を提供することにある。
上記第８の手段によれば、映像転送部から放出される電波（電磁ノイズ）が及ぼすフライトコントローラへの悪影響を除去して、制御信号に従って移動本体を飛行させることができる。
【００１８】
上記課題を解決するための第９の手段として、本発明は、第１ないし第８のいずれか１の手段において、前記映像転送部は、少なくとも表示部を備えた映像受信機に転送することを特徴とする無人航空機を提供することにある。
上記第９の手段によれば、合成画像の受信側は少なくとも受信機及び表示部を備えていればよく、画像を加工するためのＰＣあるいは処理ボードなどを用意する必要がない。また複数の受信機に転送することにより多数のユーザがリアルタイムで現場情報を共有することができる。
【発明の効果】
【００１９】
本発明によれば、現場の様子、画像及び放射線量を即座に知ることができる。また複数の箇所でデータを同時に受信することができる。従って、多くのユーザが情報を共有することができる。
【図面の簡単な説明】
【００２０】
【図１】本発明の無人航空機の概略説明図である。
【図２】本発明の無人航空機のブロック図である。
【図３】放射線計測部の計測範囲の説明図である。
【図４】本発明の無人航空機の画像転送の動作フロー図である。
【図５】本発明の無人航空機の自律飛行のイメージ図である。
【図６】本発明の無人航空機の自律飛行の動作フロー図である。
【発明を実施するための形態】
【００２１】
本発明の無人航空機の実施形態を添付の図面を参照しながら、以下詳細に説明する。
［無人航空機１０］
図１は本発明の無人航空機の概略説明図である。図２は本発明の無人航空機のブロック図である。図２中の実線は映像信号、小鎖線はセンサ信号、大鎖線は制御信号を示している。
本発明の無人航空機１０は、ＣＣＤカメラの撮影画像に現場情報取得部の測定値を合成するＯＳＤ１２と、ＯＳＤ１２の合成画像を外部端末１８に転送する映像転送部１４と、を備えている。
本実施形態の現場情報取得部とは、無人航空機１０に取り付けて現場の各種情報を取得可能な放射線計測部２０、測域センサ２４であり、測定値とは、現場の各種情報となる放射線量、無人航空機の移動量、無人航空機と障害物の間の距離などである。
【００２２】
より具体的な本発明の無人航空機１０は、フレーム３０１と、フライトコントローラ３４と、ロータ３２と、を備え、前記フレーム３０１は、中心に水平方向に二分する凹部３０２を設け、前記凹部３０２は、ＣＣＤカメラ４０と、前記ＣＣＤカメラ４０の撮影範囲の放射線量を測定する放射線計測部２０と、前記ＣＣＤカメラ４０の撮影画像に前記放射線計測部２０の測定値を合成するＯＳＤ１２と、前記ＯＳＤ１２の合成画像を外部端末に転送する映像転送部１４と、を収容することを特徴としている。
移動本体３０は、フレーム３０１に一般的な無人航空機に適用される複数のロータ３２（本実施形態では４個のロータ）、駆動モータ、フライトコントローラ３４、バッテリー３８を備えている。各ロータ３２は独立した回転制御が可能であり、遠隔操作用端末３６を用いた遠隔操作又は処理ボード１６の制御部１６４による自律飛行により任意の方向へ移動できる。
【００２３】
フレーム３０１は、軽量かつ所定の剛性を備えており、材質に一例としてカーボン樹脂を適用している。このフレーム３０１は、側面外周を囲ってあり衝突又は落下による破損を防止し、中心に水平方向に二分する凹部３０２を設けている。本実施形態の凹部３０２は４つのロータ３２を左右２個ずつ水平方向に貫通するように２分割している、また凹部３０２は上面開口の一部（中央付近）を覆う蓋３０３を設けている。本実施形態の具体的な凹部３０２の搭載機器の配置は、水平方向のいずれか一方の開口側に放射線計測部２０と（遮蔽材２０１を含むことあり）、ＣＣＤカメラ４０を取り付けている。また水平方向の他方の開口側にバッテリー３８を取り付けている。バッテリー３８は、充電式であり、コネクタ、又は面ファスナーを用いて容易に着脱し易い箇所に配置している。凹部３０２の中心側には蓋３０３に映像転送部１４と、測域センサ２４と、ＯＳＤ１２を配置している。また蓋３０３で覆われた凹部３０２の中心側内部のフレーム３０１上には、処理ボード１６と、フライトコントローラ３４を配置している。
【００２４】
なお、電磁ノイズに弱いフライトコントローラ３４は、電波を放出する映像転送部１４と電磁遮蔽性を有する板材（例えばアルミ板、銅板など）で分離されている。より具体的には、映像転送部１４は蓋３０３の外側（表面）に、フライトコントローラ３４は蓋３０３の内側に配置されている。電磁遮蔽材は、カーボン樹脂に金属の薄板を張っても良いし、金属板のみで製作（換言すれば蓋３０３は電磁遮蔽性を有する板材で製作）しても良い。
このような凹部３０２の構成及び搭載機器の配置により、重量バランスの調整を容易とし、飛行時の風による抵抗も低減できる。
【００２５】
［画像転送機能］
ＣＣＤカメラ４０は移動本体３０から現場を撮影し撮影画像（映像、動画を含む）を取得できる。なおＣＣＤカメラ４０の画角は任意に設計変更可能としている。
放射線計測部２０は、移動本体３０に取り付けて現場の放射線量を測定可能なセンサである。放射線計測部２０は、任意の検出範囲（一例として計測範囲±９０°）を選択・変更可能とし、移動本体３０の周辺、好ましくはＣＣＤカメラ４０の撮影範囲の放射線量を計測可能に構成している。図３は、放射線計測部の計測範囲の説明図である。本実施形態の放射線計測部２０は、ＣＣＤカメラ４０と同様に凹部３０２の一方の側面開口に設けている。そして放射線量の計測範囲を制限する遮蔽材２０１を設けている。遮蔽材２０１は、放射線の遮蔽効果の高い鉛、鉄などの材質を用いており、図１又は３に示すように放射線計測部２０のセンサ部分の外周に沿って突出するように形成して前述の計測範囲を任意範囲に制限している。このような遮蔽材２０１によりＣＣＤカメラ４０の撮影範囲Ａと放射線量の計測範囲Ｂをほぼ一致させることができ、作業者等による現場状況の把握が容易となる。なおこの他、放射線計測部２０の方向特性（放射線を検知可能な角度）に合う広角レンズを備えたＣＣＤカメラ４０を用いて、ＣＣＤカメラ４０の撮影範囲と放射線計測領域をほぼ一致させる構成を採用することもできる。
【００２６】
また放射線計測部２０は、センサ部分の遮蔽材２０１で覆われた部分以外を緩衝材２０２で覆うように構成している。緩衝材２０２は、所定の弾性力を有する発泡樹脂（発砲プラスチックなど）、ゴム等を用いることができる。このような緩衝材２０２により、無人航空機１０が落下、衝突したときの衝撃を吸収して、放射線計測部２０を衝撃から保護することができる。
処理ボード１６は、ＣＣＤカメラ４０、放射線計測部２０、測域センサ２４、ＯＳＤ１２と電気的に接続して各種信号が入出力される信号入出力部１６１と、信号入出力部１６１の各種信号を変換する信号変換部１６２と、アプリケーションを用いて演算処理を行う演算部１６３と、演算部１６３を制御すると共に、フライトコントローラ３４と接続して自律飛行の制御を行う制御部１６４と、アプリケーションプログラム等を格納及びアプリケーションプログラム実行中の処理内容を一時的に格納するメモリ１６５を備えている。また制御部１６４は信号変換部１６２を用いて放射線計測部２０からの放射線量の測定値となる数値データをＯＳＤ１２に入力可能な信号（例えば電圧）に変換させている。電圧は後述するＯＳＤ１２へ入力している。これにより処理ボードの処理仕様（スペック）を小さくでき、無人航空機全体の小型化が図れる。
【００２７】
ＯＳＤ１２は、ＣＣＤカメラ４０の撮影画像に放射線計測部２０の放射線量を付加した合成画像を生成できる。ＯＳＤ１２は、この他、後述するジャイロセンサ２２及び測域センサ２４の測定値に基づいて、障害物との距離、処理ボード１６で同定した移動本体３０の自己位置を撮影画像に付加した合成画像を生成できる。
映像転送部１４は、ＯＳＤ１２で生成した合成画像をユーザの外部端末１８へ転送している。本実施形態のユーザの外部端末１８（受信機）は、少なくとも合成画像の受信部、合成画像の表示部を備えていればよく、必ずしもＰＣ又は処理ボードを用意する必要がない。
【００２８】
図４は本発明の無人航空機の画像転送の動作フロー図である。遠隔操作又は自律飛行により無人航空機１０を現場に移動させて、放射線計測部２０で現場の放射線量の測定値を取得する（Ｓ１０）。またＣＣＤカメラ４０で現場の撮影画像（以下、映像ともいう）を取得する（Ｓ２０）。
処理ボード１６による放射線計測部２０の測定値の受信を開始する（Ｓ３０）。そして、数値データをＯＳＤ１２に入力可能な信号（例えば電圧）に変換する処理が行われる（Ｓ４０）。
処理ボード１６からＯＳＤ１２に電圧が入力される。またＣＣＤカメラ４０から撮影画像のＲＧＢ信号がＯＳＤ１２に入力される。ＯＳＤ１２では電圧を放射線量の測定値に変換し（Ｓ５０）、撮影画像に付加した合成画像を生成する（Ｓ６０）。なおＯＳＤによる撮影画像への付加は、放射線量に限らず、障害物との距離又は／及び移動本体の自己位置とすることもできる。
【００２９】
ＯＳＤ１２から映像転送部１４へ合成画像のＲＧＢ信号が入力される。映像転送部１４からユーザの外部端末１８へ映像が送信される（Ｓ７０）。ユーザの映像受信機に合成画像が受信され（Ｓ８０）、ディスプレイに合成画像が表示される（Ｓ９０）。
なお映像転送部１４は、複数の外部端末１８へ合成画像を送信できる。これにより、複数のユーザが現場の放射線量付き撮影画像を共有して即座に確認することができる。また外部端末１８は少なくとも映像受信機１８１と表示部１８２（ディスプレイ）を備えていればよく、従来のような合成画像を加工するためのＰＣあるいは処理ボードを用意する必要がない。
【００３０】
また、前述の画像転送機能は遠隔操作又は自律飛行の無人航空機のうち、どちらの形態にも適用できる。
このような本発明の無人航空機によれば、簡易な構成で撮影画像に放射線量を付加した合成画像を生成することができ無人航空機の小型化が図れる。また合成画像を複数の外部端末に転送することができる。従って現場の情報、一例として放射線量付き画像をリアルタイムで多数のユーザが現場情報を共有することができる。
【００３１】
［自律飛行機能］
次に無人航空機の自律飛行について説明する。
移動本体３０はフライトコントローラ３４と、測域センサ２４を備え、フライトコントローラ３４にはジャイロセンサ２２と高度センサ２３が取り付けられている。フライトコントローラ３４は、凹部３０２の中心側内部のフレーム３０１上に開口を介して配置している。この開口はフライトコントローラ３４が備える各種センサのセンサ素子を下面に露出させるためのものである。
【００３２】
ジャイロセンサ２２は、あらかじめ定めた移動本体３０の自己位置から図５に示すＸ軸及びＹ軸の２軸方向の移動量（距離）を測定可能なセンサである。なおジャイロセンサ２２は加速度センサを適用することもできる。
測域センサ２４は、移動本体３０周囲の障害物との間の距離（移動本体３０を中心としてＸ軸及びＹ軸の２軸方向）を測定可能なセンサである。
高度センサ２３は、移動本体３０の高度（地面や床面と移動本体３０との距離）を測定可能なセンサである。その他、高度を測定可能なセンサであれば、高度センサ２３に換えて気圧センサ、超音波センサなどを適用する構成としても良い。このような高度センサ２３の測定値は、自律飛行の際、移動本体のＺ方向（高さ）を所定位置に維持する制御に用いている。
【００３３】
なお自律飛行時の移動本体３０のＺ方向（高さ）は、地面効果を発現できる高さ（約数十ｃｍ）となるように設定している。これにより、墜落時の機材破損の可能性を低減できる。また飛行時の揚力を増加させることもできる。さらに、地面や床面上の障害物等により直進できない場合には、高度を上昇させることにより障害物を回避できる。
制御部１６４は、フライトコントローラ３４と電気的に接続して、フライトコントローラ３４が備えるジャイロセンサ２２及び高度センサ２３からの信号と測域センサ２４の測定値が入力され、移動本体３０の位置座標の演算を行うと共に、自律飛行の制御信号をフライトコントローラ３４に送信可能に構成している。
【００３４】
図５は本発明の無人航空機の自律飛行のイメージ図である。同図は建屋のフロア平面図であり、太線は壁を示している。三角印は無人航空機１０の自己位置（Ｘｎ、Ｙｎ、Ｚｎ）を示し、丸印は目標位置（Ｘ０、Ｙ０、Ｚ０）を示し、四角印は通過位置（Ｘｎ＋Ｘｉ、Ｙｎ＋Ｙｉ、Ｚｎ＋Ｚｉ）、矢印は経路を示している。処理ボード１６は、あらかじめ現場の地図情報（建屋の場合、壁と空間の情報をピクセル化した地図）、移動本体３０の自己位置（最初はスタート点）・目標位置（ゴール）・通過位置（あらかじめ通過すべき位置を設定した点）を記録している。
【００３５】
移動本体３０が移動したとき、制御部１６４はジャイロセンサ２２及び高度センサ２３の測定値から自己位置を推測できる。すなわち制御部１６４は、移動前の自己位置（スタート）から、ジャイロセンサ２２及び高度センサ２３の測定値に基づいて、Ｘ方向にＸｉメートル、Ｙ方向にＹｉメートル、Ｚ方向にＺｉメートル移動した現在の位置を自己位置（Ｘｎ＋Ｘｉ、Ｙｎ＋Ｙｉ、Ｚｎ＋Ｚｉ：移動に伴い自己位置は変化する）として推測する。このとき、移動本体３０の高度（Ｚ方向位置：Ｚｎ＋Ｚｉ）は数十ｃｍで一定となるように設定してあるが、障害物に応じて回避するようにしている。
また制御部１６４は、測域センサ２４の測定値から周囲の形状（想定外に存在する突起物等の構造物等）などの障害物を検出できる。すなわち制御部１６４は、地図情報と測域センサ２４の測定値から周囲の形状を判断し、一般の回避行動に基づいて障害物を回避して目標位置まで自律飛行する。
【００３６】
図６は本発明の無人航空機の自律飛行の動作フロー図である。
まず事前作業としてＳＴＥＰ１から２の作業を行う。
現場の地図情報を登録する（ＳＴＥＰ１）。
次に地図上における現在の移動本体３０の向き及び移動本体３０の自己位置の座標、目標位置及び通過位置の座標を登録する（ＳＴＥＰ２）。
作業者の手元スイッチ等の信号入力により無人航空機１０の自律飛行を開始する（ＳＴＥＰ３）。
移動本体３０の自己位置と、目標位置又は通過位置の座標が同じか否かの判断を行う（ＳＴＥＰ４）。
ＳＴＥＰ４の判断が異なる場合、目標位置又は通過位置までの経路を検索する（ＳＴＥＰ５）。
【００３７】
検索した経路から進むべき距離を抽出する（ＳＴＥＰ６）。この距離は、直進方向、右折または左折位置までの距離であり、制御部１６４により自己位置の座標と、目標位置又は通過位置の座標から算出することができる。例えばＹ座標の＋方向にＹｉｍ直進などとなる。
抽出後、（Ａ）直進方向に向かってＣＣＤカメラが向くように移動本体３０を旋回し、その後、抽出した距離まで直進する。その間、（Ｂ）移動距離をフライトコントローラ３４内のジャイロセンサ２２及び高度センサ２３の計測値から演算する。（Ｃ）測域センサ２４で周囲の形状を監視する。例えば、Ｙ座標の＋方向、数メートル先に障害物有りなど（ＳＴＥＰ７）である。
右折または左折位置までに直進不可能な障害物があるか否かの判断を行う（ＳＴＥＰ８）。
【００３８】
障害物がない場合、ＳＴＥＰ４に戻る。
障害物がある場合、移動本体３０の高度を上昇して障害物を回避できるか否かの判断を行う（ＳＴＥＰ９）。
回避可能であれば障害物を回避した後、ＳＴＥＰ４に戻る。
回避不可能な場合、目標位置または通過位置へ移動できないため、ＳＴＥＰ２で登録したスタート点に帰還する（ＳＴＥＰ１０）。
ＳＴＥＰ４の判断が同じ場合、通過位置または目標位置に到達したとし、移動本体をその場で一周旋回させて、放射線計測部２０により移動本体３０の全周囲（３６０°）に渡って放射線量を測定する（ＳＴＥＰ１１）。
【００３９】
次に移動本体３０が通過していない通過位置や到達していない目標位置が残っていないかの判断を行う（ＳＴＥＰ１２）。
残っていればＳＴＥＰ４に戻る。
残っていなければ自律飛行の動作が終了する。
このような本発明の無人航空機によれば、移動本体の自己位置を求める演算量が少ないため制御部の演算処理の処理仕様を小さくして、無人航空機全体の小型化を図ることができる。また障害物を回避しながら目標位置まで自律飛行することができる。
なお、放射線量の計測は、スタート地点から目標位置までの経路全てで行っても良いし、あらかじめ設定した通過位置のみで行っても良い
【符号の説明】
【００４０】
１０………無人航空機、１２………ＯＳＤ、１４………映像転送部、１６………処理ボード、１６１………信号入出力部、１６２………信号変換部、１６３………演算部、１６４………制御部、１６５………メモリ、１８………外部端末、１８１………映像受信機、１８２………ディスプレイ（表示部）、２０………放射線計測部、２０１………遮蔽材、２０２………緩衝材、２２………ジャイロセンサ、２３………高度センサ、２４………測域センサ、３０………移動本体、３０１………フレーム、３０２………凹部、３０３………蓋、３２………ロータ、３４………フライトコントローラ、３６………遠隔操作用端末、３８………バッテリー、４０………ＣＣＤカメラ。
【図１】
2019104372.tif 000003
【図２】
2019104372.tif 000004
【図３】
2019104372.tif 000005
【図４】
2019104372.tif 000006
【図５】
2019104372.tif 000007
【図６】
2019104372.tif 000008